(57)【要約】      （修正有）【課題】所定錠数ずつ所定タイミングで錠剤を排出口から次工程に排出できる傾斜回転盤を用いた錠剤計数供給装置を提供する。【解決手段】傾斜回転盤２の回転軸から外側に向けて同心円上に複数列、且つ各同心円に沿って１個又は複数の個設の錠剤収容孔２３を設け、排出口１１には、各同心円上にそれぞれ対応位置させるか隣接する複数列の上記同心円上に対応位置させるかの一方又は双方の組合せで複数個設けられ且つ単独又は複数列の錠剤収容孔２３内の錠剤積算個数が所定錠数の排出錠剤数となるように解放される開閉シャッター１２を具備させる。【選択図】図１
2018202051.tif 000002
【特許請求の範囲】
【請求項１】
傾斜高位置に錠剤排出口を有する傾斜固定盤と、該傾斜固定盤上で回転する傾斜回転盤とを備え、上記傾斜回転盤に設けた錠剤収容孔に、上記傾斜回転盤の傾斜低位置の供給ゾーンにおいて錠剤を供給し、傾斜回転盤の傾斜高位置の排出ゾーンにおいて上記錠剤収容孔内の錠剤を上記排出口から排出する錠剤供給装置であって、上記錠剤収容孔は、上記傾斜回転盤にこれを等分に区画して複数個形成された各扇形ゾーンに、上記傾斜回転盤の回転軸から外側に向けて同心円上に複数列、且つ各同心円に沿って１個又は複数個設けられており、上記排出口は、上記各同心円上に対応位置させるか隣接する複数列の上記同心円上に対応位置させるかの一方又は双方の組合せで複数個設けられ且つ単独又は複数の所定の列の上記錠剤収容孔内の錠剤を解放時に排出し閉鎖時には排出しない開閉シャッターを備えていることを特徴とする錠剤計数供給装置。
【請求項２】
傾斜回転盤の各扇形ゾーンに同心円状に設けられた複数列の錠剤収容孔が奇数錠の錠剤を収容する奇数錠錠剤収容孔列と、偶数錠の錠剤を収容する偶数錠錠剤収容孔列との何れか一方又は双方の組合せで構成されていることを特徴とする請求項１に記載の錠剤計数供給装置。
【発明の詳細な説明】
【技術分野】
【０００１】
本発明は、連続的に供給される錠剤を計数しながら所定錠数ずつ所定タイミングで次工程の包装工程等に排出する錠剤計数供給装置に関するものである。
【背景技術】
【０００２】
従来、連続的に供給される錠剤を所定錠数ずつ次工程の包装工程等に排出する錠剤供給装置としては、特許文献１や特許文献２に開示されているように、傾斜高位置に錠剤排出口を有する傾斜固定盤と、該傾斜固定盤上で回転する傾斜回転盤とを備えた錠剤供給装置が知られている。この装置においては、上記傾斜回転盤に設けた錠剤収容孔を、傾斜回転盤の回転に従って、上記傾斜回転盤の傾斜低位置の供給ゾーンにおいて溜まった状態の充分な量の錠剤内を通過させることによって、通過する錠剤収容孔に錠剤をはめ込むような形態で錠剤を供給し、傾斜回転盤の傾斜高位置の排出ゾーンにおいて傾斜回転盤の回転に伴って上記錠剤収容孔内の錠剤をその下方の上記排出口から単に落下、排出するように構成されている。そして、この種の錠剤供給装置においては、上記排出口は単一であり、また、上記錠剤収容孔は次工程に排出する錠剤数に応じて傾斜回転盤に設けられているのが通常である。
【先行技術文献】
【特許文献】
【０００３】
【特許文献１】実開昭６２−１８７７０号公報
【特許文献２】特開２０１１−０７３７２９号公報
【発明の概要】
【発明が解決しようとする課題】
【０００４】
しかしながら、上記の如き錠剤供給装置においては、次工程に排出する錠剤数を異ならせる場合、それに対応する錠剤収容孔を有する別の傾斜回転盤に交換して使用するのが通常であり、そのため次工程に排出する錠剤数に応じて回転盤を複数枚用意しなければならず、単一の回転盤を使用して、次工程に排出する錠剤数を異ならせることはできないという問題があった。
【０００５】
本発明の目的は、上述のような問題を解決することであり、次工程に排出する所定数の錠剤数を異ならせる場合でも、単一の回転盤を別の回転盤に交換することなく使用してこれを行うことのできる新規な錠剤計数供給装置を提供することにある。
【課題を解決するための手段】
【０００６】
本発明は、上記の目的を達成するため、傾斜高位置に錠剤排出口を有する傾斜固定盤と、該傾斜固定盤上で回転する傾斜回転盤とを備え、上記傾斜回転盤に設けた錠剤収容孔に、上記傾斜回転盤の傾斜低位置の供給ゾーンにおいて錠剤を供給し、傾斜回転盤の傾斜高位置の排出ゾーンにおいて上記錠剤収容孔内の錠剤を上記排出口から排出する錠剤供給装置であって、上記錠剤収容孔は、上記傾斜回転盤にこれを等分に区画して複数個形成された各扇形ゾーンに、上記傾斜回転盤の回転軸から外側に向けて同心円上に複数列、且つ各同心円に沿って１個又は複数個設けられており、上記排出口は、上記各同心円上に対応位置させるか隣接する複数列の上記同心円上に対応位置させるかの一方又は双方の組合せで複数個設けられ且つ単独又は複数の所定の列の上記錠剤収容孔内の錠剤を解放時に排出し閉鎖時には排出しない開閉シャッターを備えていることを特徴とする錠剤計数供給装置を提供するものである。
【発明の効果】
【０００７】
本発明の錠剤計数供給装置は、上述のように構成されているため、次工程に排出する所定数の錠剤数を異ならせる場合でも、単一の回転盤を別の回転盤に交換することなく使用してこれを行うことのできるという効果が奏される。
【図面の簡単な説明】
【０００８】
【図１】本発明の錠剤計数供給装置の一実施例の模式的な縦断面図である。
【図２】図１の傾斜回転盤の平面図である。
【図３】図１の傾斜固定盤の平面図である。
【実施例１】
【０００９】
以下、本発明の一実施例を図面に沿って説明する。
図１、図２及び図３は本発明の錠剤計数供給装置の一実施例を示すもので、１は傾斜高位置に錠剤排出口１１を有する傾斜固定盤、２は傾斜固定盤１上で略面接触状態で回転する傾斜回転盤である。傾斜回転盤２には、これを等分に区画して６個の扇形ゾーン２１が形成されており、各扇形ゾーン２１には、傾斜回転盤２の回転軸２２から外側に向けて同心円上にそれぞれ錠剤収容孔２３が複数列設けられている。錠剤収容孔２３は、この実施例の場合それぞれ概ね円形孔で形成されており、回転軸２２側からＡ列〜Ｅ列と呼ぶことにすると、Ａ列、Ｂ列には１錠の錠剤３を収容できる大きさものがそれぞれ１個形成されており、Ｃ列には２錠、Ｄ列には４錠収容できるものがそれぞれ形成されている。Ｅ列には４錠収容できるものが隣接して２列形成されており、合計８錠の錠剤を収容できる大きさのものが形成されている。錠剤３の収容は、錠剤３が錠剤収容孔２３に嵌め合わされ下部を傾斜固定盤１の上面で支持することによってなされている。錠剤収容孔２３への錠剤３の収容は、錠剤収容孔２３を、傾斜回転盤２の回転に従って、傾斜回転盤２の傾斜低位置の供給ゾーン４において溜まった状態の充分な量の錠剤３内を通過させることによって行われる。供給ゾーン４への錠剤３の供給は、ホッパー１６の下部開口部１７から連続的になされている。
【００１０】
上記傾斜固定盤１の上記排出口１１は、傾斜回転盤２の上記各同心円上にそれぞれ対応位置させるか隣接する複数列の上記同心円上に対応位置させるかの一方又は双方の組合せで複数個設けられ且つ単独又は複数の所定の列の上記錠剤収容孔２３内の錠剤を解放時に排出し閉鎖時には排出しない開閉シャッター１２を備えている。さらに実施例について詳述すると、開閉シャッター１２は、上述の傾斜回転盤２の錠剤収容孔２３のＡ列〜Ｄ列に対応させて、傾斜固定盤１の傾斜上部の排出ゾーン５にＡ〜Ｄの４個設けられている。そして、傾斜固定盤１の傾斜上部の排出ゾーン５には、傾斜回転盤２の錠剤収容孔２３のＥ列に対応させて、そこに収容された２列の錠剤３をまとめて排出できる比較的大きな開閉シャッター１２が形成されている。各開閉シャッター１２は、手動又は遠隔操作により、後述のように、開閉されるように制御されている。
【００１１】
尚、図１中、２４は傾斜回転盤２の被駆動部で、外部駆動部２５によりベルト２６を介して駆動される。１３は円筒壁で、傾斜回転盤２上から錠剤３が溢れたり飛散したりするのを防止する役割を有する。また、１４は、後述のように各排出口１１から排出される錠剤３を次工程に排出する排出筒である。そして、１５はフレームである。
【００１２】
また、図示してはないが、上記供給ゾーン４と上記計数ゾーン６との間には、公知のこの種と同様なポリテトラフルオチレン等の可撓性を有する錠剤阻止板が設けられており、この阻止板は、傾斜回転盤２の錠剤収容孔２３以外の傾斜回転盤２の上面に供給ゾーン４において存在する錠剤３が過剰に排出ゾーン５に到達するのを阻止する役割を有する。
【００１３】
本発明の錠剤計数供給装置においては、扇形ゾーン２１が上記排出ゾーン５に到達した時に、複数個の上記錠剤収容孔２３から選択された１個又は複数個の上記錠剤収容孔２３内の錠剤積算錠数が所定錠数の排出錠剤数となるように、選択された上記錠剤収容孔２３に対応する上記開閉シャッター１２を手動又は遠隔操作により、解放するように制御される。
【００１４】
尚、排出口１１は、傾斜固定盤１の傾斜高位置に設けられているが、本発明の錠剤計数供給装置において、この傾斜高位置とは、最高点を含む概念であるが、必ずしも傾斜固定盤１の最高点を意味するものではない。排出口１１はこの最高点を過ぎたところに設けた方が、錠剤３の回遊を妨げずに錠剤収容孔２３へ錠剤３が収まる確率が上がるため好ましい。
【００１５】
また、傾斜回転盤２は、傾斜固定盤１に対して略面接触状態にあるが、これらは厳密に言えば接触しておらず、発生する切り粉や錠剤３の粉末により、傾斜回転盤２の回転が妨げられないように、傾斜回転盤２と傾斜固定盤１との間には０．５〜１ｍｍ程度の隙間がある。
【００１６】
次に、上述の実施例についてその動作を説明する。
供給ゾーン４には錠剤３が連続的に供給されており、ここには錠剤３が常時山盛り状態にある。従って、傾斜回転盤２の回転に従って或る単一の扇形ゾーン２１が到達し通過すると、扇形ゾーン２１の上面には大量の錠剤３が供給され、その全ての錠剤収容孔２３には通常錠剤３が供給、収容される。
【００１７】
供給ゾーン４を通過した上記の扇形ゾーン２１は、傾斜回転盤２の回転に従って、次いで、前記錠剤阻止板の下を通過し、傾斜回転盤２の錠剤収容孔２３以外の傾斜回転盤２の上面に供給ゾーン４において存在する錠剤３が排出ゾーン５に到達するのが阻止される。
【００１８】
排出ゾーン５においては、扇形ゾーン２１の各列の錠剤収容孔２３内の錠剤３の錠数が所定錠数となるように、所定の列の錠剤収容孔２３に対応する開閉シャッター１２が開放されている。
【００１９】
傾斜回転盤２の回転に従って、上記の扇形ゾーン２１はやがて排出ゾーン５に到達する。排出ゾーン５に到達すると、上述の準備に従って、選択された所定の開閉シャッター１２が解放されているから、傾斜回転盤２の回転に従って、上記の扇形ゾーン２１から所定錠数の錠剤が解放された排出口１１から排出される。
【００２０】
排出される錠剤３の所定錠数が例えば、６錠の場合、Ｃ列とのＤ列の錠剤収容孔２３内に所定錠数、具体的にはＣ列に２錠、Ｄ列に４錠の錠剤３が収容されていることから、排出ゾーン５では、これに対応するＣ列とＤ列の開閉シャッター１２が手動又は遠隔操作により解放されており、所定錠数である合計６錠の錠剤３が排出される。
【００２１】
上述の６錠の排出の場合と異なり、例えば１４錠の錠剤を排出する場合には、Ｃ列、Ｄ列、及びＥ列の開閉シャッター１２を解放しておけば良い。これにより、Ｃ列の開閉シャッター１２から２錠、Ｄ列の開閉シャッター１２から４錠、及びＥ列の開閉シャッター１２から９錠、合計１４錠の錠剤３が排出ゾーン５において排出口１１から排出される。つまり、
どの列の開閉シャッター１２を解放しておくかを選択するだけで、錠剤３の排出錠数を変えることができ、その際、異なる別の錠剤収容孔を有する回転盤を交換して用いることはない。
【００２２】
このように、本発明の錠剤計数供給装置においては、扇形ゾーン２１が上記排出ゾーン５に到達した時に、複数列の上記錠剤収容孔２３から選択された単独又は複数個列の上記錠剤収容孔２３内の錠剤積算錠数が所定錠数の排出錠剤数となるように、選択された単独又は複数個列の上記錠剤収容孔２３に対応する上記開閉シャッター１２が解放される状態にあるため、所定錠数の錠剤を次工程に同一タイミングで排出することができる。
【００２３】
排出ゾーン５で所定錠数の錠剤３排出した扇形ゾーン２１は、排出されなかった錠剤３を錠剤収容孔２３内に収容したまま、傾斜回転盤２の回転に従って、再び供給ゾーン４に至る。
【００２４】
以上、単独の扇形ゾーン２１に着目して本発明の錠剤計数供給装置の一実施例についてその動作について説明したが、傾斜回転盤２はこの実施例の場合、６個の扇形ゾーン２１が形成されており、これらの扇形ゾーン２１が傾斜回転盤２の回転に従て次々に供給ゾーン４、排出ゾーン５を通過するから、上述の動作は、複数の扇形ゾーン２１で、錠剤３の供給、排出は同時に且つ連続的に行われる。
【００２５】
尚、本発明の錠剤計数供給装置においては、扇形ゾーン２１の数には制限はなく、適宜選択することができる。
【００２６】
以上の実施例では、傾斜回転盤の錠剤収容孔２３の個数をＡ列からＥ列に向けて１，１，２，４，８錠の錠剤３を収容するように構成されているが、本発明においては、傾斜回転盤２の各扇形ゾーン２１に同心円状に設けられた複数列の錠剤収容孔が奇数錠の錠剤を収容する奇数錠錠剤収容孔列と、偶数錠の錠剤を収容する偶数錠錠剤収容孔列との何れか一方又は双方の組合せで構成されるのが好ましく、列数や、各列に収容する錠剤の錠数に応じて、錠剤収容孔２３の大きさや数等は適宜選択可能である。
【００２７】
また、上述の実施例においては、傾斜回転盤２に同心円上に形成されたＥ列の錠剤収容孔２３は４個×２列で構成されており、これに対応するするように大きさでＥ列の開閉シャッター１２位置させているが、本発明の錠剤計数供給装置においては、開閉シャッター１２は、各同心円上に対応位置させるか隣接する複数列の上記同心円上に対応位置させるかの一方又は双方の組合せで複数個設けられていれば良い。
【産業上の利用可能性】
【００２８】
本発明の錠剤計数供給装置は、素錠、コーティング錠（含む糖衣錠）、ソフトカプセル、ハードカプセル等、原則として、医薬品、医薬部外品（健康食品）を含む人間が経口する錠剤すべてに適用可能である。そして、本発明の錠剤計数供給装置は、例えば２０錠以下の比較的少数錠の小分けに最適なものである。
【符号の説明】
【００２９】
１    傾斜固定盤
１１    排出口
１２    開閉シャッター
１３    円筒壁
１４    排出筒
１５    フレーム
１６    ホッパー
１７    下部開口部
２    傾斜回転盤
２１    扇形ゾーン
２２    回転軸
２３    錠剤収容孔
２４    被駆動部
２５    駆動部
２６    ベルト
３    錠剤
４    供給ゾーン
５    排出ゾーン
【図１】
2018202051.tif 000003
【図２】
2018202051.tif 000004
【図３】
2018202051.tif 000005